(57)【要約】【課題】本発明によれば、クラッチの構成が不要であるので、補助洗濯装置の構成は、クラッチを備えた場合に比べて簡素化され、衣類処理装置全体の製造コストを低減することができる。【解決手段】本発明は、衣類処理装置に関し、具体的には、洗濯物を処理するための主洗濯装置及び補助洗濯装置を備える衣類処理装置であって、前記補助洗濯装置は、洗濯水を収容するタブ、前記タブ内に回転可能に設けられるドラム、前記ドラム内に回転可能に設けられ、前記ドラム内に収容される洗濯水及び洗濯物のうちの少なくとも１つとの摩擦によって回転するパルセーターを含む衣類処理装置に関する。【選択図】図５
2016034492.tif 000002
【特許請求の範囲】
【請求項１】
洗濯物を処理するための主洗濯装置及び補助洗濯装置を備える衣類処理装置であって、
前記補助洗濯装置は、
洗濯水を収容するタブと、
前記タブ内に回転可能に設けられるドラムと、
前記ドラム内に回転可能に設けられ、前記ドラム内に収容される洗濯水及び洗濯物のうちの少なくとも１つとの摩擦によって回転するパルセーターとを含む、衣類処理装置。
【請求項２】
前記補助洗濯装置は、前記ドラムを回転させるためのモータをさらに含み、
前記モータにより前記ドラムが回転するとき、前記パルセーターは、ドラムの回転方向と同じ方向に回転する、請求項１に記載の衣類処理装置。
【請求項３】
前記ドラムの回転が止まるとき、前記パルセーターは、慣性によってドラムの回転方向と同じ方向に所定時間さらに回転する、請求項２に記載の衣類処理装置。
【請求項４】
前記補助洗濯装置は、前記ドラムを回転させるためのモータをさらに含み、
前記モータの駆動力が前記ドラムにのみ伝達されるように、モータのシャフトと前記パルセーターとの間にパルセーターコネクタが設置される、請求項１に記載の衣類処理装置。
【請求項５】
前記モータのシャフトには、前記モータの駆動力を前記ドラムに伝達するためのハブが結合され、
前記パルセーターコネクタが、前記ハブと共に回転するように前記ハブに設置され、
前記パルセーターは、前記ドラム内で上下方向の移動が制限され、
前記パルセーターは、前記パルセーターコネクタを中心に円周方向に回転可能なように、前記パルセーターコネクタに噛み合っている、請求項４に記載の衣類処理装置。
【請求項６】
前記パルセーターは、中央部に連結孔が設けられ、前記連結孔の内周面には段差部が形成されており、
前記パルセーターコネクタは、前記パルセーターの回転軸を構成する鉛直突出部、及び前記段差部に噛み合って前記パルセーターの上下方向の移動を制限するための掛止部を含む、請求項５に記載の衣類処理装置。
【請求項７】
前記段差部は、連結孔の中心に向かって連結孔の内周面の直径が狭くなるように形成されている、請求項６に記載の衣類処理装置。
【請求項８】
前記掛止部は、前記段差部の上面に締結され、
前記掛止部と前記段差部の上面との間は所定の間隔で離隔している、請求項６に記載の衣類処理装置。
【請求項９】
前記掛止部は、前記連結孔の内周面に沿って１つ以上設けられる、請求項６に記載の衣類処理装置。
【請求項１０】
前記連結孔の上側にはメッシュキャップが備えられ、
前記メッシュキャップには、フィルター機能を果たすために所定の大きさに形成された多数の孔が形成される、請求項６に記載の衣類処理装置。
【請求項１１】
前記パルセーターは、前記ドラムの底面で回転可能なように設けられたボディー、及び前記ボディーから上側に突出した１つ以上の羽根を含む、請求項１に記載の衣類処理装置。
【請求項１２】
前記１つ以上の羽根は、前記ボディーの中央から外側方向に向かって延び、
前記パルセーターのボディーと羽根とは一体的に形成された、請求項１１に記載の衣類処理装置。
【請求項１３】
前記補助洗濯装置は、衣類処理装置に対して挿入及び引き出し可能なドロワーの形態で形成された、請求項１に記載の衣類処理装置。
【請求項１４】
前記主洗濯装置の外観を形成する第１キャビネット、及び前記補助洗濯装置の外観を形成する第２キャビネットをさらに含む、請求項１に記載の衣類処理装置。
【請求項１５】
前記第１キャビネットと第２キャビネットとは一体的に形成された、請求項１４に記載の衣類処理装置。
【発明の詳細な説明】
【技術分野】
【０００１】
本発明は、衣類処理装置に係り、具体的には、主洗濯装置、及び前記主洗濯装置に追加的に備えられて洗濯物を処理する補助洗濯装置を含む衣類処理装置に関する。
【背景技術】
【０００２】
一般に、衣類処理装置は、洗濯物を洗剤と機械的摩擦とを用いて洗濯する装置である。
【０００３】
一般的な衣類処理装置は、通常、床に直接設置される。しかし、衣類処理装置の中で洗濯物を前方から投入するフロントローディング方式（いわゆる「ドラム式洗濯機」）の衣類処理装置の場合、洗濯物を投入するための投入口が比較的低く形成されている。そのため、使用者が洗濯物を投入したり、取り出したりするためには腰を曲げなければならない不便さがあった。
【０００４】
このような不便さを除去するために、フロントローディング方式の衣類処理装置の下部に受け台を追加して、衣類処理装置の実質的な設置位置を上昇させる受け台が開発された。これに加えて、受け台を単純に受け台の用途のみに利用せずに、受け台に追加的に補助洗濯装置を設置して少量の洗濯物を洗濯できるようにする技術が開発された。
【０００５】
このとき、前記補助洗濯装置はトップローディング方式の衣類処理装置であって、ドラム内にパルセーターを備えてもよい。前記パルセーターは、モータ及びクラッチに連結され、ドラム内で正回転又は逆回転するように形成され得る。パルセーターの回転は、ドラム内の洗濯水に渦流を発生させて洗濯物の捩れを防止し、洗濯効率を向上させる機能を果たす。１つのモータによってドラム及び前記ドラム内に回転可能に設けられるパルセーターを駆動するためには、クラッチのような構成が必要である。すなわち、１つのモータによってドラム及びパルセーターを回転させるためには、モータの駆動力をドラム及びパルセーターに選択的に伝達するためのクラッチが必要である。
【０００６】
上記のように、ドラム及びパルセーターの選択的な正回転又は逆回転のためのクラッチの設置のためには、衣類処理装置（特に、補助洗濯装置）内に別個の空間が必要であるという問題がある。また、補助洗濯装置内にクラッチを設置することによって、補助洗濯装置の構造が相対的に複雑となり、製造コストが上昇するという問題がある。さらに、補助洗濯装置内に備えられた１つのモータによってドラム及びパルセーターを全て駆動しなければならないので、ドラムのみを駆動する場合に比べて電力消費が多くなるという問題がある。
【発明の概要】
【発明が解決しようとする課題】
【０００７】
本発明は、上述した問題点を解決するためのもので、補助洗濯装置にパルセーターが備えられてもクラッチのような構成を別途必要としない衣類処理装置を提供することを目的とする。
【０００８】
具体的には、本発明は、補助洗濯装置に備えられるパルセーターが、ドラム内に収容される洗濯水及び洗濯物のうちの少なくとも１つとの摩擦により回転できる衣類処理装置を提供することを目的とする。
【課題を解決するための手段】
【０００９】
本発明は、上記目的を達成するためのもので、具体的には、本発明は、洗濯物を処理するための主洗濯装置及び補助洗濯装置を備える衣類処理装置であって、前記補助洗濯装置は、洗濯水を収容するタブ、前記タブ内に回転可能に設けられるドラム、及び前記ドラム内に回転可能に設けられ、前記ドラム内に収容される洗濯水及び洗濯物のうちの少なくとも１つとの摩擦によって回転するパルセーターを含んでもよい。
【００１０】
また、前記補助洗濯装置は、前記ドラムを回転させるためのモータをさらに含んでもよく、前記モータにより前記ドラムが回転するとき、前記パルセーターは、前記ドラム内で前記ドラムの回転方向と同じ方向に回転する洗濯水及び洗濯物のうちの少なくとも１つとの摩擦によって、ドラムの回転方向と同じ方向に回転することができる。
【００１１】
また、前記ドラムの回転が止まるとき、ドラムの回転方向と同じ方向に回転するパルセーターは、慣性によってドラムの回転方向と同じ方向に所定時間さらに回転し得る。
【００１２】
また、前記補助洗濯装置は、前記ドラムを回転させるためのモータをさらに含み、前記モータの駆動力が前記ドラムにのみ伝達されるように、モータのシャフトと前記パルセーターとの間にパルセーターコネクタが設置されてもよい。
【００１３】
また、前記モータのシャフトには、前記モータの駆動力を前記ドラムに伝達するためのハブが結合され、前記パルセーターコネクタが、前記ハブと共に回転するように前記ハブに設置され、前記パルセーターは、前記ドラム内で上下方向の移動が制限されるが、前記パルセーターコネクタを中心に円周方向に回転可能なように、前記パルセーターコネクタに噛み合っていてもよい。
【００１４】
また、前記パルセーターは、中央部に連結孔を設け、前記連結孔の内周面には段差部が形成されており、前記パルセーターコネクタには、前記パルセーターの回転軸を構成する鉛直突出部、及び前記段差部に噛み合って前記パルセーターの上下方向の移動を制限するための掛止部が設けられてもよい。
【００１５】
また、前記段差部は、連結孔の中心に向かって連結孔の内周面の直径が狭くなるように形成されてもよい。
【００１６】
また、前記掛止部は前記段差部の上面に掛かり、前記掛止部と前記段差部の上面との間は所定の間隔で離隔するように形成されてもよい。
【００１７】
また、前記掛止部は、前記連結孔の内周面に対応する円周に沿って１つ以上設けられてもよい。
【００１８】
また、前記鉛直突出部の外周面の直径は、前記掛止部の外周面の直径よりも小さく形成することができる。
【００１９】
また、前記段差部の内周面の直径は、前記鉛直突出部の外周面の直径よりも大きく形成することができる。
【００２０】
また、前記連結孔の上側にはメッシュキャップが設置され、前記メッシュキャップには、フィルター機能を果たすために所定の大きさに形成された多数の孔が形成されてもよい。
【００２１】
また、前記パルセーターは、前記ドラムの底面上で回転可能なように設けられたボディー、及び前記ボディー部から上側に突出した１つ以上の羽根を含んでもよい。
【００２２】
また、前記１つ以上の羽根は、前記ボディーの中央からボディーの周縁に向かって延び、前記パルセーターのボディー及び羽根は一体的に形成されてもよい。
【００２３】
また、前記補助洗濯装置は、衣類処理装置に対して挿入及び引き出し可能なドロワーの形態で形成されてもよい。
【００２４】
また、本発明に係る衣類処理装置は、前記主洗濯装置の外観を形成する第１キャビネット、及び前記補助洗濯装置の外観を形成する第２キャビネットをさらに含んでもよい。
【００２５】
このとき、前記第１キャビネットと第２キャビネットとは一体的に形成されてもよい。
【発明の効果】
【００２６】
本発明によれば、モータの駆動力をドラム及びパルセーターに選択的に伝達するためのクラッチのような構成が不要であるので、衣類処理装置（特に、補助洗濯装置）の構成をコンパクトにすることができる。
【００２７】
また、クラッチの構成が不要であるので、補助洗濯装置の構成は、クラッチを備えた場合に比べて簡素化され、衣類処理装置全体の製造コストを低減することができる。
【００２８】
また、補助洗濯装置に備えられるモータは、補助洗濯装置のドラムのみを回転させればよいので、１つのモータによりドラム及びパルセーターを共に駆動しなければならない場合に比べて電力消費を減少させることができる。
【図面の簡単な説明】
【００２９】
【図１】本発明に係る衣類処理装置を示す斜視図である。
【図２】本発明に係る衣類処理装置の概略的な断面図である。
【図３】本発明に係る衣類処理装置において、補助洗濯装置の構造を示す斜視図である。
【図４】図３に示された補助洗濯装置の分解斜視図である。
【図５】図３に示された補助洗濯装置の横断面図である。
【図６】図５に示された補助洗濯装置の拡大断面図である。
【図７】（ａ）は、ハブとパルセーターコネクタが結合された姿を示す斜視図であり、（ｂ）は、パルセーターコネクタとパルセーターが結合された姿を示す斜視図である。
【発明を実施するための形態】
【００３０】
本発明の説明において、各構成要素の名称は本発明における機能を考慮して定められたものである。従って、本発明の技術的構成要素を限定する意味として理解されてはならない。また、各構成要素に定められたそれぞれの名称は、当業界で異なる名称で呼ばれることもある。
【００３１】
また、本明細書において言及される衣類、洗濯物には、服及び衣服だけでなく、履物、靴下、手袋及び帽子等のように人が着用できる対象物を含み、洗濯物は、洗濯を行うことができる全ての対象物を含んでもよい。
【００３２】
以下、添付の図面を参照して、本発明に係る衣類処理装置について詳細に説明する。図１は、本発明の実施例に係る衣類処理装置を示す斜視図であり、図２は、本発明の実施例に係る衣類処理装置を概略的に示す断面図である。
【００３３】
図１及び図２に示すように、本発明に係る衣類処理装置１００は、主洗濯装置２００及び補助洗濯装置３００を含んでもよい。そして、補助洗濯装置３００は、主洗濯装置２００の一端又は下部に備えられてもよい。また、主洗濯装置２００は、主洗濯装置２００の外形を形成する第１キャビネット２１０を備え、補助洗濯装置３００は、補助洗濯装置３００の外形を形成する第２キャビネット３１０を備えてもよい。このとき、前記第１キャビネット２１０及び第２キャビネット３１０は一体的に形成されてもよい。一方、本発明に係る衣類処理装置１００は、主洗濯装置２００のみ又は補助洗濯装置３００のみで構成されてもよい。
【００３４】
主洗濯装置２００は、フロントローディング方式の洗濯装置であることが好ましい。例えば、主洗濯装置２００の前方にドア２５０が設置され、前記ドア２５０を介して、洗濯物が主洗濯装置２００内に収容されてもよい。
【００３５】
具体的には、主洗濯装置２００は、外観を形成する第１キャビネット２１０、第１キャビネット２１０内に設けられて洗濯水が貯蔵される第１タブ２２０、及び第１タブ２２０内に回転可能に設けられて洗濯物が収容される第１ドラム２３０を備えてもよい。第１ドラム２３０は、第１キャビネット２１０内で第１タブ２２０の外側に設けられた第１モータ２４０により回転できる。すなわち、第１モータ２４０の第１シャフト２４１が、第１タブ２２０の後面を貫通して第１ドラム２３０の後面に連結されている。したがって、第１モータ２４０の駆動力は、第１シャフト２４１を介して第１ドラム２３０に伝達され得る。
【００３６】
また、第１ドラム２３０の内周面には、第１ドラム２３０の内部に収容される洗濯物を持ち上げた後、落とすことができる１つ以上のリフター２３１が設置されてもよい。また、第１キャビネット２１０内には、第１タブ２２０及び後述する補助洗濯装置３００の第２タブ３２０に洗濯水を供給するための給水部１１０、及び洗濯が完了した後に第１タブ２２０及び第２タブ３２０から洗濯水を排水するための排水部１２０等が設けられてもよい。
【００３７】
給水部１１０は給水ポンプ及び供給ライン１１１を備えてもよく、排水部１２０は排水ポンプ及び排水管を備えてもよい。また、給水部１１０には、衣類処理装置の外部の水源から洗濯水の供給を受けるための供給ライン１１１が連結されている。給水部１１０に供給された洗濯水を、第１ライン１１２に沿って洗剤入れ２６０を経由して第１タブ２２０内に供給することができ、又、第２ライン１１３に沿って後述する補助洗濯装置３００の第２タブ３２０に選択的に供給することができる。洗濯水を第１タブ２２０及び第２タブ３２０に選択的に供給するために、第１ライン１１２及び第２ライン１１３は第１弁１１４及び第２弁１１５をそれぞれ備えてもよい。すなわち、第１弁１１４は第１ライン１１２を開閉し、第２弁１１５は第２ライン１１３を開閉することができる。
【００３８】
一方、第１ドラム２３０の回転により第１タブ２２０に伝達される振動を吸収するための１つ以上のダンパー２７０が、第１キャビネット２１０と第１タブ２２０との間に設置されてもよい。また、第１タブ２２０と後述する補助洗濯装置３００のキャビネットとの間にもダンパー（例えば、シリンダーダンパー）が設置されてもよい。このとき、ダンパー２７０は、スプリングダンパーまたはシリンダーダンパーであってもよい。また、主洗濯装置２００を操作するためのコントロールパネル２８０が第１キャビネット２１０の前方上側に設けられてもよい。
【００３９】
そして、補助洗濯装置３００は、主洗濯装置２００に隣接して備えられてもよい。例えば、主洗濯装置２００の使用者の便宜のため、補助洗濯装置３００は主洗濯装置２００の下部に備えてもよい。すなわち、補助洗濯装置３００は、主洗濯装置２００の設置位置を上昇させて、主洗濯装置２００の使用者に利便性を提供することができる。
【００４０】
一方、洗濯物を洗濯する主洗濯装置２００と共に補助洗濯装置３００を設ける場合、主洗濯装置２００と補助洗濯装置３００とは互いに同じ洗濯容量を有するように設けることができる。しかし、衣類処理装置１００の設置空間の制約、及び衣類処理装置１００の製造コスト等を考慮して、主洗濯装置２００及び補助洗濯装置３００のうちの一方が他方に比べてさらに小さい容量を有するように設けてもよい。
【００４１】
本実施例では、図１及び図２に示すように、補助洗濯装置３００が、主洗濯装置２００に比べて洗濯容量、体積、高さのうちの少なくとも１つが小さいように構成されて備えられてもよい。これによって、使用者は、洗濯物の量に応じて、適切に主洗濯装置２００及び補助洗濯装置３００のうちの一方を選択して使用することができる。
【００４２】
使用者は、洗濯物の種類に応じて、主洗濯装置２００及び補助洗濯装置３００のうちの１つを選択して洗濯することができる。例えば、ベビー服及び下着等のように分別して洗濯する必要がある洗濯物又は少量の洗濯物は、補助洗濯装置３００を用いて洗濯し、その他の洗濯物は主洗濯装置２００を用いて洗濯することがきる。
【００４３】
具体的には、補助洗濯装置３００は、トップローディング方式で形成された洗濯装置であってもよい。また、補助洗濯装置３００は、第２キャビネット３１０に対して引き込み／引き出し可能なドロワーの形態で形成されてもよい。例えば、補助洗濯装置３００は、外観を形成する第２キャビネット３１０、第２キャビネット３１０内に引き込まれ、又、第２キャビネット３１０から引き出されるドロワーハウジング３６０、ドロワーハウジング３６０内に設けられて洗濯水が貯蔵される第２タブ３２０、及び第２タブ３２０内に回転可能に設けられて洗濯物が収容される第２ドラム３３０を備えてもよい。また、第２タブ３２０の一端には、洗濯水を排水するための排水部（図示せず）が備えられてもよい。
【００４４】
ドロワーハウジング３６０は、衣類処理装置１００の前方向に向かって第２キャビネット３１０に形成された開口部３５０を介して、第２キャビネット３１０内に引き込まれ、又、第２キャビネット３１０から引き出される。
【００４５】
第２ドラム３３０は、ドロワーハウジング３６０内で第２タブ３２０の外側に設けられた第２モータ３４０により回転することができる。すなわち、第２モータ３４０の第２シャフト３４１が、第２タブ３２０の下面を貫通して第２ドラム３３０の下面に連結されている。したがって、第２モータ３４０の駆動力は、第２シャフト３４１を介して第２ドラム３３０に伝達され得る。
【００４６】
一方、ドロワーハウジング３６０の前方にはカバーパネル３６１を設置することができる。このようなカバーパネル３６１はドロワーハウジング３６０と一体的に形成されてもよい。また、カバーパネル３６１には、ドロワーハウジング３６０の引き込み及び引き出しのための取っ手３６２が形成されてもよく、カバーパネル３６１の上面には、補助洗濯装置３００を操作するためのコントロールパネル３８０が備えられてもよい。また、ドロワーハウジング３６０の上部には、第２タブ３２０内に洗濯水を供給するための供給孔３６５、及び第２ドラム３３０内に洗濯物を投入し又取り出すためのドア３６３が設置されてもよい。ドア３６３の一端には、ドア３６３を引いて開けるための取っ手３６４が備えられてもよい。
【００４７】
図３は、本発明に係る衣類処理装置において、補助洗濯装置の構造を示す斜視図である。
【００４８】
図３に示すように、補助洗濯装置３００は、上述したドロワーハウジング３６０、ドロワーハウジング３６０の内部に設けられる第２タブ３２０、第２タブ３２０の内側に回転可能に設けられる第２ドラム３３０、及び第２ドラム３３０の中央部に回転可能に設けられるパルセーター４００を含んでもよい。また、パルセーター４００の中央部には、洗濯水内に含まれ得る糸くず（ｌｉｎｔ）などの異物をろ過するためのメッシュキャップ４１０が設置されてもよい。メッシュキャップ４１０には、所定の大きさの孔４１１が複数形成されてもよく、メッシュキャップ４１０は、パルセーター４００に固定されてパルセーター４００の回転と共に回転することができる。
【００４９】
また、第２ドラム３３０のベース３３１には１つ以上のドラム羽根３３２が備えられてもよい。すなわち、ドラム羽根３３２は、第２ドラム３３０のベース３３１から上側に突出するように形成することができる。また、第２ドラム３３０のベース３３１に形成されるドラム羽根３３２は、第２ドラム３３０の外周に向かって延びるように形成することができる。また、ドラム羽根３３２は、第２ドラム３３０のベース３３１に所定の間隔（即ち、所定の角距離、ａｎｇｕｌａｒ  ｄｉｓｔａｎｃｅ）で複数形成されてもよい。したがって、第２ドラム３３０が回転するとき、ドラム羽根３３２は、第２ドラム３３０内の洗濯水に渦流を作って洗濯物の絡みを防止し、洗濯効率を増加させることができる。
【００５０】
また、第２ドラム３３０のベース３３１には複数の孔３３３を形成することができる。ベース３３１に形成された複数の孔３３３を介して、第２タブ３２０内に収容された洗濯水が第２ドラム３３０内に流入し、第２ドラム３３０内の洗濯水が第２タブ３２０へ流出することができる。図示していないが、第２ドラム３３０の側面にも複数の孔を形成することができる。
【００５１】
一方、パルセーター４００は、パルセーターボディー４０１及び１つ以上のパルセーター羽根４０２を含んでもよい。パルセーター羽根４０２は、パルセーターボディー４０１から上側に突出するように形成することができ、所定の間隔で複数が形成されてもよい。また、パルセーター羽根４０２は、パルセーターボディー４０１の外周に向かって延びるように形成することができる。したがって、パルセーター４００が回転するとき、パルセーター羽根４０２は、第２ドラム３３０内の洗濯水に渦流を作って洗濯物の絡みを防止し、洗濯効率を増加させることができる。
【００５２】
以下で具体的に説明されるパルセーター４００の回転は、第２ドラム３３０内に収容されて第２ドラム３３０の回転に伴って回転する洗濯水及び洗濯物のうちの少なくとも１つとの摩擦によって作動し得る。
【００５３】
図４は、図３に示された補助洗濯装置の分解斜視図である。すなわち、図４は、第２タブ３２０を除外した補助洗濯装置３００の構成を示す分解斜視図である。
【００５４】
図２及び図４を共に参照すると、第２ドラム３３０は、ドラムボディー３３５、及びドラムボディー３３５の下側に結合されるドラムベース３３１を備えてもよい。また、第２モータ３４０の駆動力（即ち、回転力）は、第２シャフト３４１を介して第２ドラム３３０に伝達され得る。具体的には、第２シャフト３４１の上側にハブ３９０が結合され、ドラムベース３３１とハブ３９０との間に連結フランジ３９１が設置される。したがって、第２モータ３４０の駆動力は、第２シャフト３４１、ハブ３９０及び連結フランジ３９１を通してドラムベース３３１に伝達され、その結果、第２ドラム３３０が回転する。
【００５５】
一方、ドラムベース３３１の中央部には、パルセーター４００を設置するための開口部３３６を形成することができる。また、パルセーターコネクタ４５０がハブ３９０に設置され得る。すなわち、パルセーターコネクタ４５０は、ハブ３９０の上側中央部に設置され得、ハブ３９０の回転と共にパルセーターコネクタ４５０も回転し得る。
【００５６】
例えば、パルセーター４００は、第２ドラム３３０のドラムベース３３１に形成された開口部３３６を介して、ハブ３９０の上側に設置されたパルセーターコネクタ４５０と噛み合う。このとき、ハブ３９０及びパルセーターコネクタ４５０は第２モータ３４０の駆動により回転できるが、第２モータ３４０の駆動力がパルセーター４００に伝達されないようにパルセーター４００とパルセーターコネクタ４５０とが噛み合う。以下で具体的に説明するが、パルセーターコネクタ４５０は、パルセーター４００の上下方向の移動のみを制限するようにパルセーター４００と噛み合う。すなわち、パルセーターコネクタ４５０とパルセーター４００とが噛み合っても、パルセーター４００は、パルセーターコネクタ４５０を中心に円周方向に回転することができる。
【００５７】
例えば、第２モータ３４０により第２ドラム３３０が回転するとき、パルセーター４００は、第２ドラム３３０内で第２ドラム３３０の回転方向と同じ方向に回転する洗濯水及び洗濯物のうちの少なくとも１つとの摩擦によって、第２ドラム３３０の回転方向と同じ方向に回転することができる。また、第２ドラムの回転が止まるとき、第２ドラム３３０の回転方向と同じ方向に回転していたパルセーター４００は、慣性によって第２ドラム３３０の回転方向と同じ方向に所定時間さらに回転し得る。すなわち、第２モータ３４０の駆動力が第２シャフト３４１、ハブ３９０及び連結フランジ３９１を通して第２ドラム３３０にのみ伝達されるように、第２モータ３４０の第２シャフト３４１とパルセーター４００との間にパルセーターコネクタ４５０が設置され得る。
【００５８】
図５は、図３に示された補助洗濯装置の横断面図であり、図６は、図５に示された補助洗濯装置の拡大断面図である。
【００５９】
図５及び図６を参照すると、（図示していない）第２モータから駆動力が伝達される第２シャフト３４１の一端はハブ３９０に連結されている。また、ハブ３９０の上側にはパルセーターコネクタ４５０が連結されている。したがって、第２モータが回転すると、ハブ３９０及びパルセーターコネクタ４５０は共に第２モータの回転方向と同じ方向に回転する。もちろん、上述したように、第２モータの駆動力は、ドラムベース３３１とハブ３９０との間に配置された連結フランジ３９１を介して第２ドラム３３０に伝達され得る。
【００６０】
このとき、パルセーター４００は連結孔４１６を備えてもよい。具体的には、連結孔４１６はパルセーター４００の中央部に形成することができる。例えば、連結孔４１６は、パルセーター４００を上下方向に貫通するようにパルセーターボディー４０１の中央部に形成されてもよく、１つ以上のパルセーター羽根４０２が前記連結孔４１６からパルセーターボディー４０１の外周に向かって延びて形成されてもよい。パルセーターコネクタ４５０とパルセーター４００とが結合されるとき、パルセーターコネクタ４５０の少なくとも一部が前記連結孔４１６内に挿入され得る。
【００６１】
パルセーター４００に形成された連結孔４１６の内周面には段差部４２０を形成することができる。また、パルセーターコネクタ４５０は、パルセーター４００の回転軸を構成する鉛直突出部４５１、及び前記段差部４２０に噛み合う掛止部４５２を備えてもよい。具体的には、パルセーターコネクタ４５０の掛止部４５２は、パルセーター４００の上下方向の移動を制限するように構成され得る。例えば、掛止部４５２は、パルセーター４００に形成された連結孔４１６の内周面に向かって突出するように設けられてもよい。具体的には、掛止部４５２は、段差部４２０の上面上へ突出するように形成され得る。
【００６２】
このとき、パルセーターコネクタ４５０の鉛直突出部４５１と段差部４２０の内周面との間には所定の間隔が形成され得る。また、掛止部４５２と段差部４２０の上面との間にも所定の間隔が形成され得る。これは、パルセーターコネクタ４５０の回転がパルセーター４００に伝達されないようにしながら、パルセーターコネクタ４５０を中心にパルセーター４００が自由に回転できるようにするためである。
【００６３】
したがって、第２モータ３４０の駆動力は、第２シャフト３４１及びハブ３９０を通してパルセーターコネクタ４５０までは伝達されるが、パルセーター４００までは伝達されない。すなわち、パルセーターコネクタ４５０の鉛直突出部４５１と段差部４２０の内周面との間に所定の間隔が形成されているので、パルセーターコネクタ４５０の回転はパルセーター４００には伝達されない。例えば、パルセーターコネクタ４５０は、パルセーター４００の上下方向の動きを拘束するが、パルセーター４００が回転する円周方向への動きは拘束しない。
【００６４】
すなわち、パルセーター４００は、パルセーターコネクタ４５０に対して円周方向に拘束されていないので、パルセーター４００は、第２ドラム３３０内に収容された洗濯水及び洗濯物のうちの少なくとも１つとの摩擦によって回転できる。また、洗濯水及び洗濯物のうちの少なくとも１つとの摩擦によって回転し始めたパルセーター４００は、第２ドラム３３０の回転が止まっても、慣性によって所定時間同じ方向にさらに回転できる。
【００６５】
一方、前記連結孔４１６の上側にはメッシュキャップ４１０が設置され、前記メッシュギャップ４１０には、フィルター機能を果たすために所定の大きさに形成された多数の孔４１１が形成され得る。
【００６６】
以下、図７の（ａ）及び（ｂ）を参照して、パルセーター４００がパルセーターコネクタ４５０に回転可能に結合される構成を具体的に説明する。図７の（ａ）は、ハブとパルセーターコネクタとが結合された様子を示す斜視図であり、図７の（ｂ）は、パルセーターコネクタとパルセーターとが結合された様子を示す斜視図である。
【００６７】
図７の（ａ）及び（ｂ）を参照すると、上述した第２モータ３４０の回転力は、第２モータ３４０に連結された第２シャフト３４１を介してハブ３９０に伝達される。このようなハブ３９０の上側にはパルセーターコネクタ４５０が結合され得る。すなわち、パルセーターコネクタ４５０は、コネクタボディー４５３、前記コネクタボディー４５３から上側に突出する鉛直突出部４５１、及び前記鉛直突出部４５１の自由端部から外側に突出する掛止部４５２を備えてもよい。このとき、コネクタボディー４５３、鉛直突出部４５１及び掛止部４５２は一体的に形成されてもよい。
【００６８】
より具体的には、パルセーターコネクタ４５０は、コネクタボディー４５３から上側に突出する複数のリブを含んでもよく、このような複数のリブのうちの少なくとも一部が鉛直突出部４５１を構成することができる。鉛直突出部４５１は多数設けることができ、それぞれの鉛直突出部４５１は、所定の距離（即ち、角距離、ａｎｇｕｌａｒ  ｄｉｓｔａｎｃｅ）で離隔するように形成することができる。また、それぞれの鉛直突出部４５１の自由端部には、パルセーターコネクタ４５０の側面方向に突出する掛止部４５２を設けることができる。例えば、掛止部４５２は、鉛直突出部４５１の自由端部に設けられ、パルセーターコネクタ４５０の外周に向かって突出するように形成されてもよい。
【００６９】
また、パルセーター４００には、パルセーターコネクタ４５０の鉛直突出部４５１を収容するための連結孔４１６を形成することができる。連結孔４１６は、パルセーター４００を上下方向に貫通するように形成することができる。具体的には、パルセーター４００の中央部に前記連結孔４１６が形成され得る。また、連結孔４１６の内周面には段差部４２０を形成することができる。
【００７０】
段差部４２０は、連結孔４１６の中心に向かって連結孔４１６の内周面の直径が狭くなるように突出形成され得る。具体的には、連結孔４１６の内周面は、段差部４２０の上側の第１内周面４１２と、段差部４２０が形成された第２内周面４１３とに区分できる。すなわち、段差部４２０の内周面が第２内周面４１３を形成し得る。このとき、段差部４２０により、第２内周面４１３の直径は第１内周面４１２の直径よりも小さく形成され得る。
【００７１】
パルセーターコネクタ４５０にパルセーター４００が回転可能に結合されるとき、パルセーター４００に形成された連結孔４１６を介してパルセーターコネクタ４５０の鉛直突出部４５１が挿入される。例えば、鉛直突出部４５１が連結孔４１６の下側を通して挿入され、パルセーター４００がパルセーターコネクタ４５０に結合されてもよい。また、連結孔４１６の上側は、複数の孔４１１が形成されてフィルター機能を果たすメッシュキャップ４１０によって覆われる。
【００７２】
このとき、鉛直突出部４５１の自由端部に形成された掛止部４５２には傾斜面４５４が形成されて、鉛直突出部４５１が連結孔４１６の下側を通して挿入されるように案内することができる。具体的には、連結孔４１６は、上側フレーム４１５及び下側フレーム４１４によって区画され、掛止部４５２の外周面の直径は、下側フレーム４１４の内周面の直径よりも大きく形成される。例えば、連結孔４１６を区画する上側フレーム４１５及び下側フレーム４１４は、段差部４２０を基準として上側及び下側に区分されてもよい。また、上側フレーム４１５の内周面の直径は、下側フレーム４１４の内周面の直径よりも大きく形成され得る。
【００７３】
そして、パルセーターコネクタ４５０にパルセーター４００を結合するとき、連結孔４１６の下側フレーム４１４が掛止部４５２の案内面に沿って摺動して、パルセーターコネクタ４５０の鉛直突出部４５１及び掛止部４５２が連結孔４１６の内部に挿入され得る。すなわち、パルセーターコネクタ４５０にパルセーター４００を結合するとき、連結孔４１６の下側フレーム４１４が掛止部４５２の案内面を連結孔４１６の中心に向かって押して、鉛直突出部４５１及び掛止部４５２が連結孔４１６の内部に挿入され得る。もちろん、前記のようなパルセーター４００とパルセーターコネクタ４５０との結合のために、パルセーターコネクタ４５０に設けられた鉛直突出部４５１が、プラスチックのような柔軟な素材で形成されることが好ましい。
【００７４】
パルセーター４００とパルセーターコネクタ４５０とが結合されると、パルセーターコネクタ４５０の掛止部４５２は、パルセーター４００の連結孔４１６の内周面に形成された段差部４２０に噛み合うことができる。具体的には、パルセーターコネクタ４５０の掛止部４５２は、連結孔４１６の内周面に向かって突出するように形成されて、段差部４２０の上面４２１の上側に配置され得る。すなわち、掛止部４５２は、段差部４２０の上面４２１に掛かるように配置され得る。例えば、掛止部４５２は、掛止部４５２の下面が段差部４２０の上面４２１と対向するように配置され得る。このとき、掛止部４５２と段差部４２０の上面４２１との間は所定の間隔で離隔し得る。
【００７５】
したがって、パルセーターコネクタ４５０は、パルセーター４００の上下方向の移動を制限することができる。例えば、パルセーターコネクタ４５０のコネクタボディー４５３は、パルセーター４００の下方向の移動を制限し、パルセーターコネクタ４５０の掛止部４５２は、パルセーター４００の上方向の移動を制限することができる。
【００７６】
一方、パルセーターコネクタ４５０に設けられた鉛直突出部４５１は、パルセーター４００に形成された連結孔４１６の内周面（即ち、第２内周面）に対応する円周に沿って所定の間隔で複数設けられてもよい。
【００７７】
このとき、掛止部４５２が鉛直突出部４５１の自由端部から連結孔４１６の内周面に向かって突出するので、前記鉛直突出部４５１の外周面の直径は、前記掛止部４５２の外周面の直径よりも小さく形成され得る。また、段差部４２０の内周面（即ち、第２内周面）の直径は、鉛直突出部４５１の外周面の直径よりも大きく形成することができる。すなわち、段差部４２０の内周面と鉛直突出部４５１の外周面との間に所定の間隔が形成され得る。段差部４２０の内周面と鉛直突出部４５１の外周面との間に形成された間隔により、パルセーター４００がパルセーターコネクタ４５０を中心に回転するとき、段差部４２０の内周面と鉛直突出部４５１の外周面との摩擦を防止し、又最小化することができる。
【００７８】
そして、連結孔４１６の第１内周面４１２の直径は、掛止部４５２の外周面の直径よりも大きく形成することができる。すなわち、連結孔４１６の第１内周面４１２と掛止部４５２の外周面との間に所定の間隔が形成され得る。連結孔４１６の第１内周面４１２と掛止部４５２の外周面との間に形成された間隔により、パルセーター４００がパルセーターコネクタ４５０を中心に回転するとき、連結孔４１６の第１内周面４１２と掛止部４５２の外周面との間に発生し得る摩擦を防止し、又最小化することができる。
【００７９】
上述したように、パルセーター４００が回転するときに、パルセーターコネクタ４５０とパルセーター４００との間でパルセーター４００の回転方向又はその反対方向に発生し得る摩擦を防止し、又最小化することができる。
【００８０】
すなわち、パルセーター４００の上下方向の動きはパルセーターコネクタ４５０によって制限されるが、パルセーター４００はパルセーターコネクタ４５０を中心に回転することができる。
【００８１】
言い換えると、第２モータ３４０の駆動によりパルセーターコネクタ４５０が回転しても、第２モータ３４０の駆動力がパルセーター４００までは伝達されない。このようなパルセーター４００は、第２ドラム３３０の回転に伴って第２ドラム３３０内に収容されて回転する洗濯水及び洗濯物のうちの少なくとも１つとの摩擦によって回転できる。
【００８２】
また、第２ドラム３３０内の洗濯水及び洗濯物のうちの少なくとも１つとの摩擦によって回転し始めたパルセーター４００は、第２ドラム３３０の回転が止まっても、慣性によって所定時間回転を持続し得る。慣性によってパルセーター４００の回転が持続することは、第２ドラム３３０の回転方向が反対方向に変わる場合も同様である。
【００８３】
以下、パルセーター４００の駆動について具体的に説明する。第２モータ３４０により第２ドラム３３０が回転すると、第２ドラム３３０の内側に収容された洗濯水及び洗濯物も第２ドラム３３０の回転方向に第２ドラム３３０と共に回転する。
【００８４】
このとき、前記洗濯水及び洗濯物は、第２ドラム３３０の内側に自由回転可能に設けられたパルセーター４００と摩擦を起こすことで、パルセーター４００も第２ドラム３３０の回転方向に回転し得る。また、第２ドラム３３０が回転を止めても、パルセーター４００は、慣性によって所定時間さらに回転を維持することができる。したがって、パルセーター４００によって洗濯水に渦流が形成されて、洗濯物の絡みを防止し、洗濯効率を向上させることができる。
【００８５】
一方、洗濯効率を向上させるために、第２ドラム３３０は、所定時間一方向に回転した後、他方向に方向を転換して回転し得る。このとき、パルセーター４００は、洗濯水及び洗濯物のうちの少なくとも１つとの摩擦によって一方向に回転し、第２ドラム３３０が他方向に回転方向を転換して回転しても、パルセーター４００は、慣性によって一方向への回転を所定時間持続することができる。
【００８６】
このとき、第２ドラム３３０とパルセーター４００の回転方向が反対である期間が生じ得る。すなわち、パルセーター４００の回転慣性によって、所定時間第２ドラム３３０とパルセーター４００とは互いに反対方向に回転し得る。この場合にも、パルセーター４００によって洗濯水に渦流が形成されて、洗濯物の絡みを防止し、洗濯効率を向上させることができる。
【００８７】
さらに、上述した本発明の構成によれば、第２モータ３４０の駆動力をパルセーター４００に伝達するためのクラッチのような構成が不要であるので、クラッチを備えた洗濯装置に比べて第２洗濯装置３００の構造をよりコンパクトに構成することができ、第２洗濯装置３００の製造単価を下げることができ、第２洗濯装置３００に使用される電力消費を減少させることができるという利点がある。
【００８８】
以上説明したように、本発明の好ましい実施例について詳細に記述したが、本発明の属する技術分野における通常の知識を有する者であれば、添付の特許請求の範囲に定められた本発明の精神及び範囲を逸脱しない範囲で本発明を多様に変形して実施できるであろう。したがって、本発明の事後的な実施例の変更は、本発明の技術を逸脱できないであろう。
【符号の説明】
【００８９】
１００    衣類処理装置
２００    主洗濯装置
２１０    第１キャビネット
２４０    第１モータ
３００    補助洗濯装置
３１０    第２キャビネット
３４０    第２モータ
４００    パルセーター
４５０    パルセーターコネクタ
【図１】
2016034492.tif 000003
【図２】
2016034492.tif 000004
【図３】
2016034492.tif 000005
【図４】
2016034492.tif 000006
【図５】
2016034492.tif 000007
【図６】
2016034492.tif 000008
【図７】
2016034492.tif 000009